(57)【要約】  本発明の実施形態に係る化粧品供給装置は、移動端末機から日程（Ｓｃｈｅｄｕｌｅ）を含むユーザー情報および天候を含む環境情報のうち少なくとも一つを受信する第１双方向通信部と、受信されたユーザー情報および環境情報のうち少なくとも一つに基づいて化粧品供給方法を獲得する制御部と、化粧品を含む少なくとも一つのカートリッジ、獲得された化粧品供給方法によって、カートリッジに含まれた化粧品を移動させるノズル部、およびノズル部を通過した化粧品を外部に吐出させる吐出部を有する化粧品供給部とを含むことができる。
2020520754.tif 000002
【特許請求の範囲】
【請求項１】
化粧品供給装置において、
移動端末機からユーザー情報および環境情報のうち少なくとも一つを受信する第１双方向通信部と、
前記受信されたユーザー情報および環境情報のうち少なくとも一つに基づいて化粧品供給方法を獲得する制御部と、
化粧品を含む少なくとも一つのカートリッジ、前記獲得された化粧品供給方法によって、前記カートリッジに含まれた化粧品を移動させるノズル部、および前記ノズル部を通過した化粧品を外部に吐出させる吐出部を有する化粧品供給部と
を含む化粧品供給装置。
【請求項２】
供給される化粧品の量、用途、および供給される化粧品に含まれる化粧品原料のうち少なくとも一つを設定する化粧品提供情報の入力命令を受信する入力部をさらに含み、
前記制御部は、前記ユーザー情報、環境情報、および化粧品提供情報のうち少なくとも一つに基づいて化粧品供給方法を獲得する、請求項１に記載の化粧品供給装置。
【請求項３】
既成化粧品の情報を認識可能なバーコード認識機またはＲＦＩＤリーダとして実現された第２通信部をさらに含み、
前記制御部は、前記受信されたユーザー情報、環境情報、および既成化粧品の情報のうち少なくとも一つに基づいて化粧品供給方法を獲得する、請求項１に記載の化粧品供給装置。
【請求項４】
前記化粧品供給部を介して供給された化粧品の情報を表示するディスプレイ部をさらに含む、請求項１に記載の化粧品供給装置。
【請求項５】
前記ディスプレイ部は、ミラーディスプレイとして実現される、請求項４に記載の化粧品供給装置。
【請求項６】
前記供給された化粧品の情報は、化粧品の種類、化粧品原料の情報、および供給された化粧品の使用方法を含む、請求項４に記載の化粧品供給装置。
【請求項７】
前記化粧品供給方法は、供給される化粧品の種類、供給される化粧品の量、および化粧品供給順序を含む、請求項１に記載の化粧品供給装置。
【請求項８】
前記少なくとも一つのカートリッジの残量をセンシングするセンシング部をさらに含み、
前記第１双方向通信部は、前記センシングしたカートリッジの残量の情報を前記移動端末機に伝送する、請求項１に記載の化粧品供給装置。
【請求項９】
前記化粧品供給装置は、据置用または携帯用として実現される、請求項１に記載の化粧品供給装置。
【請求項１０】
前記ユーザー情報は、前記移動端末機に入力された日程（Ｓｃｈｅｄｕｌｅ）情報を含み、
前記環境情報は、前記移動端末機に受信された気象情報を含む、請求項１に記載の化粧品供給装置。
【請求項１１】
化粧品供給装置の動作方法において、
移動端末機からユーザー情報を受信するステップと、
前記受信されたユーザー情報に基づいて化粧品供給方法を獲得するステップと、
前記獲得された化粧品供給方法に応じて化粧品を供給するステップと
を含む化粧品供給装置の動作方法。
【請求項１２】
環境情報を受信するステップをさらに含み、
前記化粧品供給方法を獲得するステップは、
前記ユーザー情報および前記環境情報のうち少なくとも一つに基づいて化粧品供給方法を獲得するステップを含む、請求項１１に記載の化粧品供給装置の動作方法。
【請求項１３】
供給される化粧品の量、用途、および供給される化粧品に含まれる化粧品原料のうち少なくとも一つを設定する化粧品提供情報の入力命令を受信するステップをさらに含み、
前記化粧品供給方法を獲得するステップは、
前記ユーザー情報および前記化粧品提供情報のうち少なくとも一つに基づいて化粧品供給方法を獲得するステップを含む、請求項１１に記載の化粧品供給装置の動作方法。
【請求項１４】
バーコードまたはＲＦＩＤタグを有する既成化粧品の情報を認識するステップをさらに含み、
前記化粧品供給方法を獲得するステップは、
前記ユーザー情報および前記既成化粧品の情報のうち少なくとも一つに基づいて化粧品供給方法を獲得するステップを含む、請求項１１に記載の化粧品供給装置の動作方法。
【請求項１５】
前記化粧品供給装置に装着されたカートリッジの残量を感知するステップと、
前記感知されたカートリッジの残量の情報を移動端末機に伝送するステップと
をさらに含む、請求項１１に記載の化粧品供給装置の動作方法。
【請求項１６】
前記供給された化粧品の情報を表示するステップをさらに含み、
前記供給された化粧品の情報は、化粧品の種類、化粧品原料の情報、および供給された化粧品の使用方法を含む、請求項１１に記載の化粧品供給装置の動作方法。
【請求項１７】
化粧品供給システムにおいて、
ユーザー情報の入力命令を受信し、前記ユーザー情報をサーバーに伝送する移動端末機と、
前記受信されたユーザー情報に基づいて化粧品供給方法を獲得して外部に伝送するサーバーと、
前記サーバーから化粧品供給方法を受信し、前記受信された化粧品供給方法に基づいて化粧品を供給する化粧品供給装置と
を含む化粧品供給システム。
【請求項１８】
前記サーバーは、
環境情報および化粧品提供情報のうち少なくとも一つをさらに受信し、
前記ユーザー情報、環境情報、および化粧品提供情報のうち少なくとも一つに基づいて化粧品供給方法を獲得する、請求項１７に記載の化粧品供給システム。
【請求項１９】
前記ユーザー情報は、ユーザーの肌状態、顔画像、前記移動端末機に入力された日程情報、および前記移動端末機に入力されたアラームの設定情報のうち少なくとも一つをさらに含み、
前記環境情報は、現在の温度、湿度、粒子状物質の濃度、および紫外線指数のうち少なくとも一つをさらに含み、
前記化粧品提供情報は、供給される化粧品の量、用途、および供給される化粧品に含まれるように選択された化粧品原料を含む、請求項１８に記載の化粧品供給システム。
【請求項２０】
前記サーバーは、
既成化粧品の情報をさらに受信し、
前記ユーザー情報、環境情報、化粧品提供情報、および既成化粧品の情報のうち少なくとも一つに基づいて化粧品供給方法を獲得する、請求項１８に記載の化粧品供給システム。
【請求項２１】
前記化粧品供給装置は、
化粧品を含む少なくとも一つのカートリッジと、
前記受信された化粧品供給方法によって前記カートリッジに含まれた化粧品を移動させるノズル部と、
前記ノズル部を通過した化粧品を外部に吐出させる吐出部と
を含む、請求項１７に記載の化粧品供給システム。
【請求項２２】
前記化粧品供給装置は、
前記少なくとも一つのカートリッジの残量を感知するセンシング部と、
前記感知されたカートリッジの残量の情報を前記移動端末機に伝送する双方向通信部と
をさらに含む、請求項２１に記載の化粧品供給システム。
【請求項２３】
化粧品供給システムの動作方法において、
サーバーがユーザー情報、環境情報、および化粧品提供情報のうち少なくとも一つを受信するステップと、
前記サーバーが前記受信されたユーザー情報、環境情報、および化粧品提供情報のうち少なくとも一つに基づいて化粧品供給方法を獲得するステップと、
前記サーバーが前記獲得された化粧品供給方法を化粧品供給装置に伝送するステップと、
前記化粧品供給装置が前記サーバーから受信された化粧品供給方法に基づいて化粧品を供給するステップと
を含む化粧品供給システムの動作方法。
【発明の詳細な説明】
【技術分野】
【０００１】
本発明は、外部装置と無線通信する化粧品供給装置およびその動作方法に関する。
【背景技術】
【０００２】
ビューティー産業（ｂｅａｕｔｙ  ｉｎｄｕｓｔｒｙ）の発展にしたがって、ユーザーは、化粧品、メイクアップ（ｍａｋｅ−ｕｐ）などのようなビューティー商品、ビューティーサービスなどに関心が増加している傾向である。このようなビューティー商品、ビューティーサービスなどに対する関心が増加しつつ、ユーザーは自分の肌状態に合う化粧品、自分の顔に似合う化粧品などを見つけることができる。
【０００３】
具体的には、ユーザーは、自分の肌状態に適切な化粧品を推薦する化粧品供給装置および化粧品供給サービスなど、ユーザーが自分の顔を撮影すると、それに似合うメイクアップ製品またはメイクアップ方法などを推薦する装置やサービスなどを必要とすることがある。
【０００４】
一方、ユーザーは、自分の肌状態、顔などの外見に関連した要素のみでなく、日常生活などのような他の要素による化粧品推奨、製造装置／サービスなどを必要とすることがある。
【発明の概要】
【発明が解決しようとする課題】
【０００５】
本発明は、前記のような問題を解決するためのものであって、ユーザーの日程（Ｓｃｈｅｄｕｌｅ）、天候などに基づいて化粧品を提供する化粧品供給装置およびその動作方法を提供しようとするものである。
【０００６】
本発明は、ユーザーの移動端末機と連動される化粧品供給装置およびその動作方法を提供しようとするものである。
【課題を解決するための手段】
【０００７】
本発明の実施態様に係る化粧品供給装置は、移動端末機から日程（Ｓｃｈｅｄｕｌｅ）を含むユーザー情報および天候を含む環境情報のうち少なくとも一つを受信する第１双方向通信部と、受信されたユーザー情報および環境情報のうち少なくとも一つに基づいて化粧品供給方法を獲得する制御部と、化粧品を含む少なくとも一つのカートリッジ、獲得された化粧品供給方法によって、カートリッジに含まれた化粧品を移動させるノズル部、およびノズル部を通過した化粧品を外部に吐出させる吐出部を有する化粧品供給部とを含むことができる。
【０００８】
供給される化粧品の量、用途、および供給される化粧品に含まれる化粧品原料のうち少なくとも一つを設定する化粧品提供情報の入力命令を受信する入力部をさらに含み、制御部は、受信されたユーザー情報、環境情報、および化粧品提供情報のうち少なくとも一つに基づいて化粧品供給方法を獲得することができる。
【０００９】
既成化粧品の情報を認識可能なバーコード認識機またはＲＦＩＤリーダとして実現された第２通信部をさらに含み、制御部は、受信されたユーザー情報、環境情報、および既成化粧品の情報のうち少なくとも一つに基づいて化粧品供給方法を獲得することができる。
【００１０】
化粧品供給部を介して供給された化粧品の情報を表示するディスプレイ部をさらに含むことができる。
【００１１】
ディスプレイ部は、ミラーディスプレイとして実現され得る。
【００１２】
供給された化粧品の情報は、化粧品の種類、化粧品原料の情報、および供給された化粧品の使用方法を含むことができる。
【００１３】
化粧品供給方法は、供給される化粧品の種類、供給される化粧品の量、および化粧品供給順序を含むことができる。
【００１４】
少なくとも一つのカートリッジの残量をセンシングするセンシング部をさらに含み、第１双方向通信部は、センシングしたカートリッジの残量の情報を移動端末機に伝送することができる。
【００１５】
化粧品供給装置は、据置用または携帯用として実現され得る。
【００１６】
化粧品供給が動作する方法において、移動端末機から日程（Ｓｃｈｅｄｕｌｅ）を含むユーザー情報を受信するステップと、受信されたユーザー情報に基づいて化粧品供給方法を獲得するステップと、獲得された化粧品供給方法によって化粧品を供給するステップとを含むことができる。
【００１７】
天候を含む環境情報を受信するステップをさらに含み、化粧品供給方法を獲得するステップは、ユーザー情報および環境情報のうち少なくとも一つに基づいて化粧品供給方法を獲得するステップを含むことができる。
【００１８】
供給される化粧品の量、用途、および供給される化粧品に含まれる化粧品原料のうち少なくとも一つを設定する化粧品提供情報の入力命令を受信するステップをさらに含み、化粧品供給方法を獲得するステップは、ユーザー情報および化粧品提供情報のうち少なくとも一つに基づいて化粧品供給方法を獲得するステップを含むことができる。
【００１９】
バーコードまたはＲＦＩＤタグを有する既成化粧品の情報を認識するステップをさらに含み、化粧品供給方法を獲得するステップは、ユーザー情報および既成化粧品の情報のうち少なくとも一つに基づいて化粧品供給方法を獲得するステップを含むことができる。
【００２０】
化粧品供給装置に装着されたカートリッジの残量を感知するステップと、感知されたカートリッジの残量の情報を移動端末機に伝送するステップとをさらに含むことができる。
【００２１】
供給された化粧品の情報を表示するステップをさらに含み、供給された化粧品の情報は、化粧品の種類、化粧品原料情報、および供給された化粧品の使用方法を含むことができる。
【００２２】
化粧品供給システムにおいて、日程（Ｓｃｈｅｄｕｌｅ）を含むユーザー情報の入力命令を受信し、ユーザー情報をサーバーに伝送する移動端末機と、受信されたユーザー情報に基づいて化粧品供給方法を獲得して外部に伝送するサーバーと、サーバーから化粧品供給方法を受信し、受信された化粧品供給方法に基づいて化粧品を供給する化粧品供給装置とを含むことができる。
【００２３】
サーバーは、天候を含む環境情報および化粧品提供情報のうち少なくとも一つをさらに受信し、ユーザー情報、環境情報、および化粧品提供情報のうち少なくとも一つに基づいて化粧品供給方法を獲得することができる。
【００２４】
ユーザー情報は、ユーザーの肌状態、顔画像、およびアラームの設定情報のうち少なくとも一つをさらに含み、環境情報は、現在の温度、湿度、粒子状物質の濃度、および紫外線指数のうち少なくとも一つをさらに含み、化粧品提供情報は、供給される化粧品の量、用途、および供給される化粧品に含まれるように選択された化粧品原料を含むことができる。
【００２５】
サーバーは、既成化粧品の情報をさらに受信し、ユーザー情報、環境情報、化粧品提供情報、および既成化粧品の情報のうち少なくとも一つに基づいて化粧品供給方法を獲得することができる。
【００２６】
化粧品供給装置は、化粧品を含む少なくとも一つのカートリッジと、受信された化粧品供給方法によってカートリッジに含まれた化粧品を移動させるノズル部と、ノズル部を通過した化粧品を外部に吐出させる吐出部とを含むことができる。
【００２７】
化粧品供給装置は、少なくとも一つのカートリッジの残量を感知するセンシング部と、感知されたカートリッジの残量情報を前記移動端末機に伝送する双方向通信部とをさらに含むことができる。
【００２８】
化粧品供給システムが動作する方法において、サーバーが日程（Ｓｃｈｅｄｕｌｅ）を含むユーザー情報、天候を含む環境情報、および化粧品提供情報のうち少なくとも一つを受信するステップと、サーバーが受信されたユーザー情報、環境情報、および化粧品提供情報のうち少なくとも一つに基づいて化粧品供給方法を獲得するステップと、サーバーが獲得された化粧品供給方法を化粧品供給装置に伝送するステップと、化粧品供給装置がサーバーから受信された化粧品供給方法に基づいて化粧品を供給するステップとを含むことができる。
【発明の効果】
【００２９】
本発明の実施態様によると、ユーザーの日程または天候などに基づいて必要な化粧品を提供できるという利点がある。
【００３０】
本発明の実施態様によると、化粧品供給装置を介して、毎日新しい化粧品をユーザーに提供できるという利点がある。
【００３１】
本発明の実施態様によると、携帯用化粧品供給装置を介して、ユーザーの外出時に、多様な状況にふさわしい化粧品をすぐに提供できるという利点がある。
【００３２】
本発明の実施態様によると、ユーザーに必要な化粧品を提供すると共に、ユーザーが保有している化粧品の活用方案を提示するという利点がある。
【００３３】
本発明の実施態様によると、化粧品供給の残量情報を移動端末機に送信して、化粧品がすべて消尽される前にユーザーがカートリッジを交換できるという利点がある。
【図面の簡単な説明】
【００３４】
【図１】本発明の実施形態に係る化粧品供給システムの構成を示したブロック図である。
【図２】本発明の実施形態に係る移動端末機の構成を示したブロック図である。
【図３】本発明の実施形態に係る化粧品供給装置の構成を示したブロック図である。
【図４】本発明の第１実施形態に係る据置用化粧品供給装置の例示図である。
【図５】本発明の第２実施形態に係る据置用化粧品供給装置の例示図である。
【図６】本発明の一実施形態に係る携帯用化粧品供給装置の例示図である。
【図７】本発明の一実施形態に係る化粧品供給システムの動作方法を説明するためのダイヤグラムである。
【図８】本発明の実施形態に係る移動端末機が受信するユーザー情報の一例を説明するための図である。
【図９】本発明の実施形態に係る化粧品供給装置が既成化粧品の情報を認識する方法を説明するための図である。
【図１０ａ】本発明の実施形態に係る化粧品供給装置が化粧品供給方法を獲得する方法を説明するための図である。
【図１０ｂ】本発明の実施形態に係る化粧品供給装置が化粧品供給方法を獲得する方法を説明するための図である。
【図１０ｃ】本発明の実施形態に係る化粧品供給装置が化粧品供給方法を獲得する方法を説明するための図である。
【図１０ｄ】本発明の実施形態に係る化粧品供給装置が化粧品供給方法を獲得する方法を説明するための図である。
【図１１】本発明の実施形態に係る化粧品供給装置が化粧品供給方法によって化粧品を供給する様子を説明するための図である。
【図１２】本発明の実施形態に係る化粧品供給装置が供給された化粧品の情報を表示する方法を説明するための例示図である。
【図１３ａ】本発明の第１実施形態に係る既成化粧品の情報表示方法を説明するための図である。
【図１３ｂ】本発明の第２実施形態に係る既成化粧品の情報表示方法を説明するための図である。
【図１３ｃ】本発明の第３実施形態に係る既成化粧品の情報表示方法を説明するための図である。
【図１４】本発明の実施形態に係る移動端末機が、カートリッジの残量情報を出力する方法を説明するための例示図である。
【図１５】本発明の別の実施形態に係る化粧品供給システムの動作方法を説明するためのダイヤグラムである。
【図１６】本発明の実施形態に係る化粧品供給装置が化粧品提供情報の入力命令を受信する方法を説明するための図である。
【発明を実施するための形態】
【００３５】
以下、添付された図面を参照して本明細書に開示された実施形態を詳しく説明するが、図面符号に関係なく同一または類似の構成要素には同一の参照符号を付与し、これに対する重複説明は省略することにする。以下の説明で使用される構成要素に対する接尾辞「モジュール」および「部」は明細書作成の容易さだけが考慮されて付与されたり混用されるものであって、それ自体で互いに区別される意味または役割を有するものではない。また、本明細書に開示された実施形態を説明するにおいて、関連した公知技術に対する具体的な説明が、本明細書に開示された実施形態の要旨を曖昧にし得ると判断される場合にはその詳細な説明を省略する。また、添付された図面は本明細書に開示された実施形態を易しく理解するようにするためのものに過ぎず、添付された図面によって本明細書に開示された技術的思想が制限されず、本発明の思想および技術範囲に含まれるすべての変更、均等物ないし代替物を含むものと理解されるべきである。
【００３６】
第１、第２などのように序数を含む用語は多様な構成要素を説明するために使用され得るが、前記構成要素は前記用語によって限定されない。前記用語は一つの構成要素を他の構成要素から区別する目的のみで使用される。
【００３７】
ある構成要素が他の構成要素に「連結されて」いるとか「接続されて」いると言及された際には、その他の構成要素に直接的に連結されているか、または接続されていることもあるが、中間に他の構成要素が存在することもあると理解されるべきである。一方、ある構成要素が他の構成要素に「直接連結されて」いるとか「直接接続されて」いると言及された際には、中間に他の構成要素が存在しないことと理解されるべきである。
【００３８】
単数の表現は文脈上明白に異なるように意味しない限り、複数の表現を含む。
【００３９】
本出願において、「含む」または「有する」などの用語は明細書上に記載された特徴、数字、ステップ、動作、構成要素、部品またはこれらを組み合わせたものが存在することを指定しようとするものであって、一つまたはそれ以上の他の特徴や数字、ステップ、動作、構成要素、部品またはこれらを組み合わせたものなどの存在または付加可能性を予め排除しないことと理解されるべきである。
【００４０】
以下、本発明の実施形態に係る外部デバイスと連動されている化粧品供給装置とおよびその動作方法を説明する。
【００４１】
先に、図１は、本発明の実施形態に係る化粧品供給システムの構成を示したブロック図である。
【００４２】
図１を参照すると、本発明の実施形態に係る化粧品供給システムは、サーバー１、移動端末機１０、化粧品供給装置１００を含むことができる。
【００４３】
サーバー１、移動端末機１０および化粧品供給装置１００は、通信網を介して相互に信号を送受信することができる。
【００４４】
通信網は、サーバー１、移動端末機１０および化粧品供給装置１００の間の通信経路を構成する資源の集合を意味することがある。サーバー１、移動端末機１０および化粧品供給装置１００は、移動通信技術、無線インターネット技術、近距離通信技術などのうちいずれか一つを介して相互に信号を送受信することができる。
【００４５】
移動通信技術としては、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ）、ＣＤＭＡ（Ｃｏｄｅ  Ｄｉｖｉｓｉｏｎ  Ｍｕｌｔｉ  Ａｃｃｅｓｓ）、ＣＤＭＡ２０００（Ｃｏｄｅ  Ｄｉｖｉｓｉｏｎ  Ｍｕｌｔｉ  Ａｃｃｅｓｓ２０００、ＥＶ−ＤＯ（Ｅｎｈａｎｃｅｄ  Ｖｏｉｃｅ−Ｄａｔａ  Ｏｐｔｉｍｉｚｅｄ  ｏｒ  Ｅｎｈａｎｃｅｄ  Ｖｏｉｃｅ−Ｄａｔａ  Ｏｎｌｙ）、ＷＣＤＭＡ（登録商標）（Ｗｉｄｅｂａｎｄ  ＣＤＭＡ、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）、ＬＴＥ（Ｌｏｎｇ  Ｔｅｒｍ  Ｅｖｏｌｕｔｉｏｎ）、ＬＴＥ−Ａ（Ｌｏｎｇ  Ｔｅｒｍ  Ｅｖｏｌｕｔｉｏｎ−Ａｄｖａｎｃｅｄ）などがあり、前に列挙した技術のうちいずれか一つによって構築された移動通信網を介して無線信号を送受信する技術である。
【００４６】
無線インターネット技術としては、ＷＬＡＮ（Ｗｉｒｅｌｅｓｓ  ＬＡＮ）、Ｗｉ−Ｆｉ（Ｗｉｒｅｌｅｓｓ−Ｆｉｄｅｌｉｔｙ）、Ｗｉ−Ｆｉ（Ｗｉｒｅｌｅｓｓ  Ｆｉｄｅｌｉｔｙ）Ｄｉｒｅｃｔ、ＤＬＮＡ（登録商標）（Ｄｉｇｉｔａｌ  Ｌｉｖｉｎｇ  Ｎｅｔｗｏｒｋ  Ａｌｌｉａｎｃｅ）、ＷｉＢｒｏ（Ｗｉｒｅｌｅｓｓ  Ｂｒｏａｄｂａｎｄ）、ＷｉＭＡＸ（Ｗｏｒｌｄ  Ｉｎｔｅｒｏｐｅｒａｂｉｌｉｔy  ｆｏｒ  Ｍｉｃｒｏｗａｖｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）などがあり、前に列挙した少なくとも一つの無線インターネット技術によって無線信号を送受信する技術である。
【００４７】
近距離通信技術としては、Ｂｌｕｅｔｏｏｔｈ（登録商標）、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ；ＩｒＤＡ、ＵＷＢ（Ｕｌｔｒａ  Ｗｉｄｅｂａｎｄ）、ＺｉｇＢｅｅ（登録商標）、ＮＦＣ（Ｎｅａｒ  Ｆｉｅｌｄ  Ｃｏｍｍｕｎｉｃａｔｉｏｎ）、Ｗｉ−Ｆｉ（Ｗｉｒｅｌｅｓｓ−Ｆｉｄｅｌｉｔｙ）、ｗｉ−ｆｉ  Ｄｉｒｅｃｔ、Ｗｉｒｅｌｅｓｓ  ＵＳＢ（Ｗｉｒｅｌｅｓｓ  Ｕｎｉｖｅｒｓａｌ  Ｓｅｒｉａｌ  Ｂｕｓ）などがあり、前に列挙した少なくとも一つの近距離通信技術によって信号を送受信できる制限距離が異なり、状況に応じて前に列挙した少なくとも一つの近距離通信技術を用いて無線信号を送受信する技術である。
【００４８】
サーバー１、移動端末機１０および化粧品供給装置１００は、前に列挙した移動通信技術、無線インターネット技術および近距離通信技術のうち少なくとも一つを用いて、相互に信号を送受信したり、少なくとも複数の技術を混用して相互に信号を送受信することができる。
【００４９】
また、上に列挙した技術は、例示的なものに過ぎず、サーバー１、移動端末機１０および化粧品供給装置１００は、他の無線信号送受信技術を利用することもできる。
【００５０】
次に、サーバー１、移動端末機１０および化粧品供給装置１００のそれぞれを具体的に説明する。
【００５１】
サーバー１は、化粧品関連データを保存することができる。特に、サーバー１は、ユーザーにカスタマイズ化粧品を供給するための化粧品供給と関連したデータを保存することができる。
【００５２】
化粧品関連データは、化粧品供給方法を含むことができ、ユーザー情報／環境情報／化粧品提供情報／既成化粧品情報などに応じて変わる化粧品供給方法をすべて含むことができる。
【００５３】
ユーザー情報／環境情報／化粧品提供情報／既成化粧品情報については後述することにする。
【００５４】
化粧品供給方法は、供給される化粧品の種類、供給される化粧品の量、化粧品供給順序を含むことができるが、これは例示的なものに過ぎない。
【００５５】
本発明で言及する化粧品は、完成品、半製品および製品を構成する化粧品原料をすべて含むことができる。したがって、化粧品供給方法は、複数の化粧品原料を混合する配合比などを含むことができ、複数の化粧品を用いて製作可能なすべての化粧品供給方法を含む。
【００５６】
一実施形態によると、サーバー１は、化粧品関連データを化粧品供給装置１００に伝送し、化粧品供給装置１００は、サーバー１から受信された化粧品関連データに基づいて化粧品を供給することができる。
【００５７】
別の実施形態によると、サーバー１は、移動端末機１０および化粧品供給装置１００などのような外部からの化粧品供給と関連した情報を受信することができ、受信された化粧品供給と関連した情報に基づいて化粧品供給方法を獲得することができる。
【００５８】
移動端末機１０は、化粧品供給と関連した情報をサーバー１に伝送することができる。具体的には、移動端末機１０は、ユーザー情報を入力されてサーバー１に伝送することができ、サーバー１は、移動端末機１０から受信されたユーザー情報に基づいて化粧品供給方法を獲得することができる。
【００５９】
ここで、ユーザー情報は、ユーザーの肌状態、顔画像、日程（Ｓｃｈｅｄｕｌｅ）、保存されたアラーム情報などを含むことができる。
【００６０】
また、移動端末機１０は、環境情報を受信し、受信された環境情報をサーバー１に伝送することができる。サーバー１は、移動端末機１０または他の外部装置から環境情報を受信することができ、受信された環境情報に基づいて化粧品供給方法を獲得することができる。
【００６１】
ここで、環境情報は、現在の温度、湿度、粒子状物質の濃度、紫外線指数などを含むことができる。
【００６２】
移動端末機１０は、化粧品供給装置１００と信号を送受信することができる。具体的な例を挙げると、移動端末機１０は、化粧品供給装置１００に化粧品供給の要請信号などを送信することができる。移動端末機１０は、化粧品供給装置１００からカートリッジの残量情報などを受信することができる。しかし、これは例示的なものに過ぎず、移動端末機１０と化粧品供給装置１００は、化粧品供給に必要な多様な情報を送受信することができる。
【００６３】
移動端末機１０の各構成および詳細な説明は、図２で後述することにする。
【００６４】
化粧品供給装置１００は、化粧品供給方法に基づいて化粧品を供給することができる。一実施形態によると、化粧品供給装置１００は、インストールされたアプリケーションを介して化粧品供給方法を獲得して化粧品を供給することができる。別の実施形態によると、化粧品供給装置１００は、サーバー１から化粧品供給方法を受信し、受信された化粧品供給方法に基づいて化粧品を供給することができる。しかし、これは例示的なものであって、化粧品供給装置１００は、移動端末機１０からの化粧品供給方法を受信することもできる。
【００６５】
化粧品供給装置１００は、化粧品提供情報の入力命令を受信することができる。化粧品提供情報は、化粧品供給量、化粧品の使用用途、ユーザーが使用しようとする化粧品原料などを含むことができる。
【００６６】
化粧品供給装置１００は、既成化粧品の情報を認識することができ、認識された既成化粧品情報を外部に伝送することができる。
【００６７】
化粧品供給装置１００は、カートリッジの残量をセンシングすることができ、センシングされたカートリッジの残量情報を外部に伝送することができる。
【００６８】
化粧品供給装置１００の各構成および詳細な説明は、図３で後述することにする。
【００６９】
このように、サーバー１、移動端末機１０および化粧品供給装置１００は、化粧品関連データを相互に送受信することができ、化粧品供給装置１００は、これに基づいて化粧品を製造することができる。
【００７０】
次に、図２を参照して、本発明の実施形態に係る移動端末機１０の構成および役割を具体的に説明する。
【００７１】
図２は、本発明の実施形態に係る移動端末機の構成を示したブロック図である。
【００７２】
移動端末機１０は、無線通信部１１、入力部１２、カメラ１３、ディスプレイ部１４、メモリ１５、電源供給部１６および制御部１７を含むことができる。前に列挙した構成要素は、本発明の実施形態に係る移動端末機の説明のために例示として挙げたものに過ぎず、移動端末機１０は、前に列挙した構成要素より多いか、またはより少ない構成要素を有することができる。
【００７３】
以下、移動端末機１０の各構成要素をより具体的に説明する。
【００７４】
無線通信部１１は、移動端末機１０と他の移動端末機との間、移動端末機１００と外部サーバーとの間または移動端末機１００と外部装置との間などの無線通信を可能にする一つ以上のモジュールを含むことができる。具体的には、無線通信部１１は、移動通信モジュール、無線インターネットモジュールおよび近距離通信モジュールのうち少なくとも一つを含むことができ、これは前述したことと同一である。無線通信部１１は、前に列挙したモジュールのほか、放送受信モジュールおよび位置情報モジュールのうち少なくとも一つをさらに含むことができる。
【００７５】
無線通信部１１は、他の移動端末機、サーバー１および化粧品供給装置１００のうち少なくとも一つと信号を送受信することができる。ここで、サーバー１は、化粧品関連データを保存しているサーバーであり得、化粧品供給装置１００は、化粧品供給命令によって化粧品供給が可能な装置であり得る。
【００７６】
無線通信部１１は、サーバー１または化粧品供給装置１００にユーザー情報または化粧品供給命令などを伝送することができ、無線通信部１１は、化粧品供給装置１００からカートリッジの残量情報を受信することができる。
【００７７】
前述した送受信情報は、例示的なものに過ぎず、無線通信部１１は、化粧品供給と関連したすべての情報を外部装置と送受信することができる。
【００７８】
入力部１２は、データ入力信号または入力命令を受信することができる。例えば、入力部１２は、化粧品供給と関連した多様なデータ入力信号を受信することができる。
【００７９】
入力部１２は、映像信号を受信する映像入力部、音声信号を受信するオーディオ入力部、プッシュキー（ｍｅｃｈａｎｉｃａｌ  ｋｅｙ）入力装置またはタッチキー（ｔｏｕｃｈ  ｋｅｙ）入力装置などを介してデータを受信することができる。入力部１２を介して受信されたデータ入力信号または入力命令は、制御命令として処理されて、無線通信部１１、ディスプレイ部１４、メモリ１５または制御部１７などの他の構成要素に伝達され得る。
【００８０】
カメラ１３は、映像信号入力を受信することができる。映像信号は、写真のような静止画像、動画像などを含む。したがって、カメラ１３は、写真、動画像などを撮影することにより、映像信号入力を受信することができる。例えば、カメラ１３は、ユーザーの顔画像を撮影することができる。
【００８１】
ディスプレイ部１４は、移動端末機１０で処理される情報を表示（出力）する。例えば、ディスプレイ部１４は、ユーザーに提供する内容または入力部１２を介して入力された内容などを画面に表示することができる。ディスプレイ部１４は、移動端末機１０で駆動される応用プログラムの画面情報を表示することができる。
【００８２】
ディスプレイ部１４は、カメラ１３を介して撮影しているか、または撮影された画像を表示することができる。ディスプレイ部１４は、ユーザーの肌状態などのようなユーザー情報、現在の紫外線指数などのような環境情報、カートリッジの残量などのような化粧品供給装置の関連情報などを表示することができる。
【００８３】
ディスプレイ部１４は、タッチセンサーと互いにレイヤー構造を形成するか、または一体型に形成されることによって、タッチスクリーンを実現することができる。このようなタッチスクリーンは、入力部１２として機能すると共に、移動端末機１０とユーザーとの間の出力インターフェイスを提供することができる。
【００８４】
メモリ１５は、移動端末機１０の多様な機能を支援するデータを保存する。メモリ１５は、移動端末機１０で駆動される複数の応用プログラム（ａｐｐｌｉｃａｔｉｏｎ  ｐｒｏｇｒａｍ）またはアプリケーション（ａｐｐｌｉｃａｔｉｏｎ））、移動端末機１０の動作のためのデータ、命令語などを保存することができる。このような応用プログラムの少なくとも一部は、無線通信を介して外部サーバーからダウンロードされ得る。または、このような応用プログラムの少なくとも一部は、移動端末機１０の基本的な機能（例えば、電話着信、発信機能、メッセージの受信、発信機能）のために出庫の当時から移動端末機１０上に存在することができる。
【００８５】
一方、このような応用プログラムの少なくとも一つは、化粧品供給のためのアプリケーションであり得る。
【００８６】
電源供給１６は、外部の電源または内部の電源が印加されて移動端末機１０に含まれた各構成要素に電力を供給する。このような電源供給１６は、バッテリーを含み、前記バッテリーは、内蔵型バッテリーまたは交換可能な形状のバッテリーであり得る。
【００８７】
制御部１７は、移動端末機１０の全体的な動作を制御する。具体的には、制御部１７は、移動端末機１０を構成する各構成要素の動作または応用プログラムと関連した動作を制御することができる。制御部１７は、上記の構成要素を介して入力または出力される信号、データ、情報などを処理するか、またはメモリ１５に保存された応用プログラムを駆動することによって、ユーザーに適切な情報または機能を提供または処理することができる。制御部１７は、上記の構成要素の少なくとも一部を制御するか、または少なくとも二つ以上を互いに組み合わせて動作させることができる。
【００８８】
本明細書で説明される移動端末機１０には、携帯電話、スマートフォン（ｓｍａｒｔ  ｐｈｏｎｅ）、コンピューター（ｃｏｍｐｕｔｅｒ）、ノートパソコン（ｎｏｔｅｂｏｏｋ  ｃｏｍｐｕｔｅｒ）、タブレットＰＣ（ｔａｂｌｅｔ  ＰＣ）、ウェアラブルデバイス（ｗｅａｒａｂｌｅ  ｄｅｖｉｃｅ）、デジタルＴＶ、デジタルサイネージ、皮膚診断機器などが含まれ得る。
【００８９】
図２を通じて説明した上記の構成要素の少なくとも一部は、以下で説明される多様な実施形態による移動端末機の動作、制御、または制御方法を実現するために互いに協力して動作することができる。また、移動端末機の動作、制御、または制御方法は、メモリ１５に保存された少なくとも一つの応用プログラムの駆動によって移動端末機上で実現され得る。
【００９０】
次に、図３を参照して、本発明の実施形態に係る化粧品供給装置１００の構成および役割を具体的に説明する。
【００９１】
図３は、本発明の実施形態に係る化粧品供給装置の構成を示したブロック図である。
【００９２】
本発明の実施形態に係る化粧品供給装置１００は、入力部１１０、ディスプレイ部１２０、保存部１３０、センシング部１４０、カメラ１４５、位置検出部１４７、化粧品供給部１５０、第１双方向通信部１６０、第２通信部１７０を含むことができる。前に列挙した構成要素は、本発明の実施形態に係る化粧品供給装置の説明のために例示として挙げたものに過ぎず、化粧品供給装置１００は、前に列挙した構成要素より多いか、またはより少ない構成要素を有することができる。
【００９３】
以下、化粧品供給装置１００の各構成要素をより具体的に説明する。
【００９４】
入力部１１０は、化粧品供給と関連したデータの入力命令を受信することができる。
【００９５】
化粧品供給と関連したデータは、供給量、使用用途、供給時間、化粧品の種類、および化粧品原料などを含むことができるが、これは例示的なものに過ぎず、化粧品供給に利用され得るすべてのデータを含むことができる。
【００９６】
入力部１１０は、化粧品供給装置１００に装着されたカートリッジ１５１（図５参照）と関連したデータ入力命令を受信することができる。例えば、入力部１１０は、カートリッジ１５１に含まれた化粧品の情報、カートリッジ１５１の装着日付などの情報を入力するための命令を受信することができる。または、前に列挙した情報は、後述するセンシング部１４０が自動的に感知することもできる。
【００９７】
入力部１１０は、映像入力部、オーディオ入力部、プッシュキー（ｍｅｃｈａｎｉｃａｌ  ｋｅｙ）入力装置、タッチキー（ｔｏｕｃｈ  ｋｅｙ）入力装置および瞳孔認識を介した入力装置などのうち少なくとも一つを含むことができる。
【００９８】
ディスプレイ部１２０は、化粧品供給と関連したデータを表示することができる。具体的には、ディスプレイ部１２０は、化粧品供給と関連したデータの入力命令を受信するための案内画面を表示することができる。または、ディスプレイ部１２０は、入力部１１０に入力された情報、供給された化粧品に関する情報、化粧方法と関連した情報などを表示することができるが、これは例示的なものに過ぎない。
【００９９】
一実施形態によると、ディスプレイ部１２０は、タッチスクリーンとして実現され得る。この場合、ディスプレイ部１２０は、入力部１１０としての機能を共に行うことができる。
【０１００】
別の実施形態によると、ディスプレイ部１２０は、ミラーディスプレイ（Ｍｉｒｒｏｒ  Ｄｉｓｐｌａｙ）として実現され得る。ディスプレイ部１２０は、ミラーフィルムを含むことができ、この場合、ディスプレイ部１２０は、ミラー機能をすると共に、情報を視覚的に表示することができる。
【０１０１】
より具体的には、ディスプレイ部１２０は、コーティング膜、上部偏光板（Ｐｏｌａｒｉｚｅｒ）、液晶表示パネル、偏光板（Ｐｏｌａｒｉｚｅｒ）およびバックライト（Ｂａｃｋ  ｌｉｇｈｔ）で構成され得、ミラーフィルムは、上部偏光板に位置し得る。
【０１０２】
これにより、ユーザーは、化粧品供給装置１００のディスプレイ部１２０を見る場合、化粧品関連情報を提供されると共に、ユーザーの顔を確認することができる。化粧品供給装置１００のディスプレイ部１２０が、ミラーディスプレイの場合、ユーザーは、ユーザーの顔を見ながら、化粧品関連情報またはメイクアップ方法などを提供されてビューティー関連支援を容易に得ることができるという利点がある。
【０１０３】
保存部１３０は、カートリッジ情報、化粧品関連データおよびメイクアップ方法のうち少なくとも一つを含むことができる。
【０１０４】
カートリッジ情報は、化粧品供給装置１００に装着された少なくとも一つのカートリッジに対応する化粧品の種類、残量情報、カートリッジ装着日付情報および装着されたカートリッジの個数などのうち少なくとも一つを含むことができる。
【０１０５】
化粧品関連データは、少なくとも一つの化粧品種類、化粧品供給順序などで構成される化粧品供給方法を含むことができる。より具体的には、保存部１３０は、人気のある化粧品供給方法、直近に利用された化粧品供給方法、最もよく利用された化粧品供給方法および専門家推薦の化粧品供給方法などを保存することができるが、これは例示的なものに過ぎない。保存部１３０は、前に列挙したことと同様にユーザー関連の化粧品供給方法を保存することができる。
【０１０６】
保存部１３０は、化粧品供給装置１００の多様な機能を支援するデータを保存することができる。保存部１３０は、化粧品供給装置１００で駆動される複数の応用プログラム、化粧品供給装置１００の動作のためのデータ、命令語を保存することができる。このような応用プログラム、データ、命令語は、外部からダウンロードされるか、または出庫の当時から化粧品供給装置１００に存在することができる。
【０１０７】
センシング部１４０は、化粧品供給装置１００に装着されたカートリッジ１５１（図４参照）をセンシングすることができる。センシング部１４０は、化粧品供給装置１００に装着されたカートリッジの個数、カートリッジに含まれた化粧品の種類、カートリッジの残量、カートリッジの装着日付を感知することができる。
【０１０８】
一実施形態によると、センシング部１４０は、カートリッジ１５１に向けて信号を送信した後に、送信信号に対応する反射信号を受信し、送信時間と受信時間の差に基づいてカートリッジの残量を感知することができる。この場合、センシング部１４０は、複数のカートリッジ１５０から化粧品が排出される方向の延長線上に位置し得る。例えば、カートリッジ１５１に含まれた化粧品が下方向に排出されるように装着された場合、センシング部１４０は、カートリッジ１５１の上部または下部に位置し得る。もし、カートリッジ１５１に含まれた化粧品が側面方向に排出されるように装着された場合、センシング部１４０は、カートリッジ１５１と水平方向に平行に装着され得る。
【０１０９】
別の実施形態によると、センシング部１４０は、ロードセルとして実現され、カートリッジ１５１の重さを装着して、カートリッジの残量を感知することができる。この場合、センシング部１４０は、カートリッジ１５１の下部に装着され得る。
【０１１０】
しかし、前述した方法は、例示的なものに過ぎず、センシング部１４０は、多様な方法でカートリッジ１５１の残量を感知することができる。
【０１１１】
また、センシング部１４０は、カートリッジ１５１の装着時に、カートリッジ１５１に含まれたバーコード（ｂａｒｃｏｄｅ）入力信号またはＲＦＩＤ（ｒａｄｉｏ  ｆｒｅｑｕｅｎｃｙ  ｉｄｅｎｔｉｆｉｃａｔｉｏｎ）入力信号などを受信して、カートリッジの個数、カートリッジに含まれた化粧品種類、カートリッジの装着日付、カートリッジに含まれた化粧品の製造日付（または使用期限）などを感知することができる。
【０１１２】
前に列挙したカートリッジの関連情報は、センシング部１４０のほか、入力部１１０を介して受信されることもある。
【０１１３】
カメラ１４５は、ユーザーの顔を撮影することができる。具体的には、カメラ１４５は、ユーザーの素顔または化粧状態の顔を撮影することができる。制御部１８０は、カメラ１４５を介して撮影されたユーザーの顔に基づいて化粧品供給方法を獲得することができる。例えば、制御部１８０は、ユーザーの素顔を撮影した場合、基礎化粧から色調化粧まで化粧品供給方法を獲得することができる。また、制御部１８０は、ユーザーの化粧状態の顔を撮影した場合、化粧修正方法または追加の化粧品供給方法を獲得することができる。
【０１１４】
位置検出部１４７は、ユーザーの現在位置を獲得することができる。位置検出部１４７は、ＧＰＳ（Ｇｌｏｂａｌ  Ｐｏｓｉｔｉｏｎｉｎｇ  Ｓｙｓｔｅｍ）を含むことができるが、これは例示的なものに過ぎず、ユーザーの現在位置を獲得することができる装置は、すべてこれに含まれ得る。
【０１１５】
位置検出部１４７は、ユーザーの現在位置を獲得すると、制御部１８０は、ユーザーの現在位置に対応する気象情報、周辺情報などを獲得することができる。制御部１８０は、獲得された現在位置に対応する気象情報、周辺情報などに基づいて化粧品供給方法を獲得することができる。
【０１１６】
化粧品供給部１５０は、少なくとも一つの化粧品原料を利用して化粧品を供給することができる。
【０１１７】
化粧品供給部１５０は、カートリッジ１５１、ノズル部１５２、ミキサー部１５３、吐出部１５４および冷蔵部１５５を含むことができる。
【０１１８】
カートリッジ１５１は、化粧品を収容することができる。ここで、カートリッジ１５１に収容される化粧品は、複数の化粧品原料で一つの製品に構成された完成品、一部の化粧品原料が省略された半製品、および化粧品原料のそれぞれを含むことができる。
【０１１９】
化粧品供給装置１００が、複数のカートリッジ１５１を含む場合、各カートリッジ１５１は、完成品、半製品または化粧品原料のうち一つを収容することができる。
【０１２０】
複数のカートリッジ１５１は、化粧品の種類ごとに構成され得る。具体的には、複数のカートリッジ１５１は、基礎化粧品カートリッジであり得る。例えば、基礎化粧品カートリッジは、スキン（トナー）カートリッジ、エッセンス（セラム）カートリッジ、ローション（エマルジョン）カートリッジ、アイクリームカートリッジ、デイ／ナイトクリームカートリッジ、紫外線遮断剤カートリッジで構成され得る。制御部１８０は、ユーザー情報および環境情報などに基づいて基礎化粧品カートリッジで供給する化粧品の種類と量を獲得することができる。例えば、制御部１８０は、スキンカートリッジから５ｇ、エッセンスカートリッジから３ｇ、ローションカートリッジから５ｇ、紫外線遮断剤７ｇを順に供給する化粧品供給方法を獲得することができる。
【０１２１】
一方、複数のカートリッジ１５１は、色調化粧品カートリッジであり得る。例えば、色調化粧品のカートリッジは、メイクアップベースカートリッジ、ファンデーションカートリッジ、コンシーラーカートリッジ、パウダーファクトカートリッジ、アイブローカートリッジ、アイシャドウカートリッジ、アイライナーカートリッジ、マスカラカートリッジ、ブラッシャー／ハイライターカートリッジ、口紅カートリッジで構成され得る。制御部１８０は、ユーザー情報および環境情報などに基づいて色調化粧品カートリッジで供給する化粧品の種類と量を獲得することができる。
【０１２２】
または、複数のカートリッジ１５１は、基礎化粧品カートリッジと色調化粧品カートリッジをすべて含むことができる。この場合、制御部１８０は、基礎化粧品カートリッジのそれぞれで化粧品を提供し、色調化粧品カートリッジのそれぞれで化粧品を提供する化粧品供給方法を獲得することができる。
【０１２３】
カートリッジ１５１は、カートリッジ支持台（図示せず）に装着され得、分離され得る。例えば、カートリッジ１５１に含まれた化粧品がすべて消尽されると、カートリッジ１５１は、カートリッジ支持台１２０から分離され、新しいカートリッジ１５１が挿入され得る。または、カートリッジ１５１に含まれた化粧品がすべて消尽されると、カートリッジ１５１には、化粧品がリフィルされ得る。化粧品のリフィルは、カートリッジ１５１が、カートリッジ支持台１２０で装着された状態または分離された状態で両方とも可能である。
【０１２４】
カートリッジ１５１には、化粧品の排出孔（図示せず）が形成され得、カートリッジ１５１に収容された化粧品は、化粧品の排出孔（図示せず）を介してノズル部１５２に排出され得る。
【０１２５】
一実施形態によると、ノズル部１５２は、吐出部１５４と連結され得る。したがって、カートリッジ１５１に収容された化粧品は、ノズル部１５２を通過し、吐出部１５４を介して外部に吐出され得る。
【０１２６】
別の実施形態によると、ノズル部１５２は、カートリッジ１５１とミキサー部１５３に連結され得る。ノズル部１５２は、カートリッジ１５１からミキサー部１５３までの化粧品が移動する通路であり得る。カートリッジ１５１から排出された化粧品は、ノズル部１５２を介してミキサー部１５３に移動され得る。
【０１２７】
ミキサー部１５３は、少なくとも一つの化粧品を均一に混合することができる。ミキサー部１５３には、振動装置（図示せず）などが備えられて、ミキサー部１５３に収容された化粧品原料を排出することができる。
【０１２８】
吐出部１５４は、カートリッジ１５１からノズル部１５４を通過して移動された化粧品を外部に吐出させることができる。
【０１２９】
または、化粧品供給部１５０がミキサー部１５４を含む場合、吐出部１５４は、ミキサー部１５３で混合された化粧品を化粧品供給装置１００の外部に吐出され得る。
【０１３０】
吐出部１５３は、ポンプとして実現されて、化粧品を化粧品供給装置１００の外部に吐出することができる。
【０１３１】
冷蔵部１５５は、カートリッジ１５１に収容された化粧品の温度を設定温度に維持させることができる。冷蔵部１５５は、内部にカートリッジ１５１が収容されるように形成され得る。または、冷蔵部１５５は、カートリッジ１５１の周辺に形成され得る。
【０１３２】
前に列挙した構成要素は、例示的なものに過ぎず、化粧品供給部１５０は、化粧品供給に必要な他の構成要素をさらに含むか、または一部の構成要素が省略されることもある。
【０１３３】
第１双方向通信部１６０は、化粧品供給装置１００と、外部サーバーまたは外部装置との間の信号を送受信することができる。即ち、第１双方向通信部１６０は、化粧品供給装置１００とサーバー１との間の信号を送受信するか、または化粧品供給装置１００と移動端末機１０との間の信号を送受信することができる。
【０１３４】
例えば、第１双方向通信部１６０は、入力された化粧品提供情報をサーバー１に伝送することができ、天候などの環境情報および化粧品供給方法をサーバー１で受信することができる。または、第１双方向通信部１６０は、カートリッジの残量情報を移動端末機１０に伝送することができ、日程などのユーザー情報および化粧品供給命令を移動端末機１０から受信することができる。しかし、これは例示的なものに過ぎず、第１双方向通信部１６０は、外部サーバーまたは外部装置と化粧品供給と関連した多様な信号を送受信することができる。
【０１３５】
第１双方向通信部１６０は、前述した移動通信技術、無線インターネット技術および近距離通信技術のうち少なくとも一つを用いて外部と信号を送受信することができる。
【０１３６】
第２通信部１７０は、既成化粧品の情報を受信することができる。
【０１３７】
既成化粧品は、既に製造されて大量に販売される常用化粧品を意味し、既成化粧品は、バーコードまたはＲＦＩＤチップを含むことができる。
【０１３８】
第２通信部１７０は、バーコード認識機またはＲＦＩＤリーダとして実現され得、バーコードまたはＲＦＩＤチップを含む既成化粧品を認識することができる。第２通信部１７０は、既成化粧品を認識すると、認識された既成化粧品の情報を受信することができる。この場合、第２通信部１７０は、第１双方向通信部１６０とは異なり、単一方向に信号を送受信することができる。
【０１３９】
第２通信部１７０が既成化粧品の情報を受信すると、制御部１８０は、受信された既成化粧品情報に基づいて既成化粧品を考慮して化粧品を提供することができ、既成化粧品の活用方法などを表示することができる。これに対する詳細な説明は後述することにする。
【０１４０】
また、第２通信部１７０は、バーコードまたはＲＦＩＤチップを認識する場合、既成化粧品の製造日付（または使用期限）を受信することができる。制御部１８０は、受信された既成化粧品の製造日付（または使用期限）を介して化粧品の交換時期をユーザーに案内することができる。
【０１４１】
制御部１８０は、化粧品供給に必要な全般的な動作を制御することができる。制御部１８０は、化粧品供給装置１００を構成する各構成要素の個々の動作を制御したり、融合される動作を制御することができる。
【０１４２】
前述した各構成要素の動作は、例示的なものであって、各構成要素は、化粧品供給と関連した多様な動作を行うことができる。
【０１４３】
化粧品供給装置１００は、据置用として実現されたり、携帯用として実現され得る。据置用化粧品供給装置１００は、携帯用よりも相対的に多くのカートリッジ１５１を装着することができるので、多様な化粧品を供給できるという利点がある。携帯用化粧品供給装置１００は、携帯が容易であるため、外出後、多様な状況にふさわしい化粧品をすぐ製造して使用できるという利点がある。
【０１４４】
次に、図４ないし図５を参照して、据置用として実現された化粧品供給装置を説明する。図４は、本発明の第１実施形態に係る据置用化粧品供給装置の例示図であり、図５は、本発明の第２実施形態に係る据置用化粧品供給装置の例示図である。
【０１４５】
先に、図４を参照すると、化粧品供給装置１００は、入力部１１０、ディスプレイ部１２０、保存部１３０、センシング部１４０、化粧品供給部１５０、第１双方向通信部１６０、第２通信部１７０および制御部１８０を含むことができる。
【０１４６】
入力部１１０、ディスプレイ部１２０、保存部１３０、センシング部１４０、化粧品供給部１５０、第１双方向通信部１６０、第２通信部１７０および制御部１８０は、図３で説明したことと同一の内容は省略することにする。
【０１４７】
化粧品供給装置１００には、化粧品が吐出される吐出空間（Ｓ１）が形成され得る。
【０１４８】
ユーザーは、吐出空間（Ｓ１）から吐出される化粧品を手に提供されたり、容器に提供され得る。
【０１４９】
吐出空間Ｓ１は、上部ボディ１００ａと下部ボディ１００ｂとの間に形成され得る。即ち、化粧品供給装置１００は、上部ボディ１００ａと下部ボディ１００ｂとを含み、上部ボディ１００ａと下部ボディ１００ｂとの間に吐出空間Ｓ１が形成され得る。上部ボディ１００ａと下部ボディ１００ｂとは連結され得る。
【０１５０】
化粧品供給部１５０は、吐出空間（Ｓ１）と隣接して位置し得る。より具体的には、化粧品供給部１５０は、吐出部１５４に形成された一面が吐出空間Ｓ１と対向するように装着され得る。これにより、化粧品供給部１５０から化粧品が吐出空間Ｓ１に吐出され得る。
【０１５１】
化粧品供給部１５０は、複数のカートリッジ１５１を含むことができる。複数のカートリッジ１５１のそれぞれは、基礎化粧品のみを含むか、または色調用化粧品のみを含むことができる。または、化粧品供給部１５０は、基礎化粧品が含まれたカートリッジ１５１と色調用化粧品が含まれたカートリッジ１５１をすべて含むことができる。
【０１５２】
複数のカートリッジ１５１に含まれた化粧品は、一つの吐出部１５４を介して順に吐出され得る。即ち、吐出部１５４から基礎化粧品が化粧順に吐出され、色調化粧品が化粧順に吐出され得る。
【０１５３】
図４を参照すると、センシング部１４０は、化粧品供給部１５０の上側に位置し得、センシング部１４０、第１双方向通信部１６０、第２通信部１７０、制御部１８０は、上部ボディ１００ａに位置し、入力部１１０および保存部１３０は、下部ボディ１００ｂに位置し得る。しかし、これは例示的なものに過ぎず、図４に示された化粧品供給装置１００の形状と、化粧品供給装置１００に含まれた各構成要素の位置は、図４に示されたことと異なり得る。即ち、入力部１１０は、下部ボディ１００ｂの上面に位置したことを例に挙げて説明したが、入力部１１０は、上部ボディ１００ａに位置することもできる。冷蔵部（図示せず）は、複数のカートリッジ１５１が内部に収容されるように形成され得る。
【０１５４】
一方、化粧品供給装置１００は、複数の化粧品供給部１５０を含むことができる。図５を参照すると、少なくとも一つのカートリッジ１５１と、ノズル部１５２と、ミキサー部１５３と、吐出部１５４は、化粧品供給部セットを構成し、化粧品供給装置１００は、複数の化粧品供給部セットを含むことができる。この場合、それぞれの化粧品供給部セットは、基礎用化粧品供給部と、色調用化粧品供給部として実現され得る。
【０１５５】
次に、図６を参照して、携帯用として実現された化粧品供給装置を説明する。図６は、本発明の一実施形態に係る携帯用化粧品供給装置の例示図である。
【０１５６】
図６を参照すると、携帯用化粧品供給装置１００は、入力部１１０、ディスプレイ部１２０、化粧品供給部１５０、第１双方向通信部１６０、第２通信部１７０および制御部１８０を含むことができる。携帯用化粧品供給装置１００は、据置用化粧品供給装置１００よりもサイズが小さく、より少ない構成要素を含むことができる。しかし、前に列挙した構成要素は、例示的なものに過ぎず、携帯化粧品供給装置１００は、より多い構成要素を含むこともできる。また、図３を通じて説明した構成要素と同一の構成要素は、前述したことと同一なので、詳細な説明は省略することにする。
【０１５７】
携帯用化粧品供給装置１００は、重さが軽くて携帯が容易であり、状況に応じて必要な化粧品を製造してユーザーに提供できるという利点がある。
【０１５８】
携帯用化粧品供給装置１００の化粧品供給部１５０は、吐出部１５４の一面が化粧品供給装置１００の外面に形成されるよう装着され得る。したがって、化粧品供給部１５０で製造される化粧品は、化粧品供給装置１００の外部に吐出され得、ユーザーは吐出される化粧品を提供され得る。
【０１５９】
図６に示された携帯用化粧品供給装置１００の入力部１１０、ディスプレイ部１２０、化粧品供給部１５０、第１双方向通信部１６０、第２通信部１７０および制御部１８０の位置関係および化粧品供給装置１００の形状は、例示的なものに過ぎず、図６に示されたものと異なり得る。
【０１６０】
次に、図７ないし図１６を参照して、本発明の実施形態に係る化粧品供給システムの動作方法を説明する。以下で言及される化粧品供給装置１００は、据置用化粧品供給装置と携帯用化粧品供給装置をすべて含むことができる。
【０１６１】
図７は、本発明の一実施形態に係る化粧品供給システムの動作方法を説明するためのダイヤグラムである。
【０１６２】
サーバー１は、化粧品供給と関連したデータを化粧品供給装置１００に伝送することができる（Ｓ１０１）。
【０１６３】
化粧品供給と関連したデータは、化粧品供給方法を獲得するのに必要なデータを意味することができ、化粧品の種類、化粧順序、化粧品の量による化粧効果などを含むことができる。
【０１６４】
化粧品供給装置１００は、サーバー１から化粧品供給と関連したデータを受信することができる。
【０１６５】
サーバー１は、環境情報を受信することができる（Ｓ１０３）。サーバー１は、受信された環境情報を化粧品供給装置１００に伝送することができる（Ｓ１０５）。
【０１６６】
環境情報は、現在の大気状態または天候などと関連した情報を意味するものであって、環境情報は、現在の温度、湿度、粒子状物質の濃度、紫外線指数、雲の量などを含むことができる。
【０１６７】
サーバー１は、気象庁などの外部からの環境情報を受信することができる。
【０１６８】
または、移動端末機１０が、外部からの環境情報を受信して、サーバー１に送信し、サーバー１は、移動端末機１０から環境情報を受信することもできる。
【０１６９】
移動端末機１０は、ユーザー情報の入力命令を受信することができる（Ｓ１０７）。移動端末機１０は、受信されたユーザー情報を化粧品供給装置１００に伝送することができる（Ｓ１０９）。
【０１７０】
ユーザー情報は、ユーザーの肌状態、顔画像、日程（Ｓｃｈｅｄｕｌｅ）、アラームなどを含むことができる。
【０１７１】
移動端末機１０は、カメラ１３を介してユーザーの肌または顔を撮影して、肌状態または顔画像を獲得することができる。
【０１７２】
または、移動端末機１０は、入力部１２を介して日程入力命令またはアラーム入力命令を受信することができる。ここで、日程入力命令とは、ユーザーの予定された仕事と関連した日付、時刻、場所、および仕事の内容のうち少なくとも一つを入力する命令を意味することができ、アラーム入力命令とは、ユーザーの起床時刻などのような毎日または毎週繰り返される仕事と関連した時間および仕事の内容のうち少なくとも一つを入力する命令を意味することができる。
【０１７３】
図８を参照して、本発明の実施形態に係る移動端末機１０が日程入力命令を受信することによって獲得する情報を説明する。図８は、本発明の実施形態に係る移動端末機が受信するユーザー情報の一例を説明するための図である。
【０１７４】
移動端末機１０は、入力部１２を介して日程入力命令を受信することができる。具体的には、移動端末機１０の入力部１２は、ユーザーに予定された仕事と関連した日付、時刻、場所、仕事の内容のうち少なくとも一つを入力する命令を受信することができる。
【０１７５】
移動端末機１０のディスプレイ部１４は、受信された日程入力命令に対応する内容を表示することができる。
【０１７６】
入力部１２は、４月１９日、１０：００および顧客ミーティングを含む第１日程入力命令を受信し、４月２２日、１２：３０およびＸＸ結婚式を含む第２日程入力命令を受信し、４月２８日、１９：００および友達の会を含む第３日程入力命令を受信することができる。
【０１７７】
移動端末機１０のディスプレイ部１４は、受信された第１日程入力命令、第２日程入力命令および第３日程入力命令に対応する内容を表示することができる。即ち、図８に示されたように、ディスプレイ部１４は、０４／１９ １０：００顧客ミーティングと、０４／２２ １２：３０ＸＸ結婚式と、０４／２８ １９：００友達の会を表示することができる。しかし、これは例示的なものに過ぎず、移動端末機１０は、図８に示された日程よりも多くの日程入力命令を受信して表示することができる。また、図８に示された日程を表示する方法は、例示的なものに過ぎず、他の方法で表示されることもある。
【０１７８】
移動端末機１０は、前述した日程入力命令のほかに、多様なユーザー情報の入力命令を受信することができる。
【０１７９】
再び、図７を説明する。
【０１８０】
化粧品供給装置１００のセンシング部１４０は、カートリッジ１５１の残量をセンシングすることができる（Ｓ３７）。
【０１８１】
化粧品供給装置１００のセンシング部１４０は、カートリッジ１５１に向けて信号を送信し、送信信号に対応する反射信号を受信することができる。制御部１８０は、カートリッジ１５１に信号を送信した時間と反射信号を受信された時間の差を算出し、算出された送信時間と受信時間との差に基づいてカートリッジの残量を感知することができる。
【０１８２】
しかし、これは例示的なものに過ぎず、センシング部１４０は、少なくとも一つのカートリッジ１５１のそれぞれの重さを測定できる重さ測定センサーとして、カートリッジ１５１のそれぞれの重さを測定してカートリッジ１５１の残量をセンシングすることができる。
【０１８３】
化粧品供給装置１００のディスプレイ部１２０は、センシングされたカートリッジの残量を表示することができる。
【０１８４】
または、化粧品供給装置１００の第１双方向通信部１６０は、センシングされたカートリッジの残量情報を移動端末機１０に伝送することができる（Ｓ１１３）。
【０１８５】
移動端末機１０は、カートリッジの残量情報を表示することができる（Ｓ１１５）。移動端末機１０が、カートリッジの残量情報を表示する方法は、図１４を介して後述することにする。
【０１８６】
このように、本発明の一実施形態によると、化粧品供給装置１００は、カートリッジの残量をセンシングして化粧品（カートリッジ）の交換時期をユーザーに提供することができる。
【０１８７】
一方、本発明の別の実施形態によると、化粧品供給装置１００は、化粧品の製造日付または化粧品の使用期限に基づいて化粧品の交換時期をユーザーに提供することができる。
【０１８８】
具体的には、化粧品供給装置１００は、センシング部１４０または第２通信部１７０を介して、カートリッジの装着日付、カートリッジに含まれた化粧品の製造日付または使用期限、既成化粧品の製造日付または使用期限のうち少なくとも一つを獲得することができる。制御部１８０は、カートリッジの装着日付、カートリッジに含まれた化粧品の製造日付または既成化粧品の製造日付が予め設定された基準期間を超過する場合、化粧品の交換アラームを出力するように制御することができる。または、制御部１８０は、現在の日付がカートリッジに含まれた化粧品の使用期限または既成化粧品の使用期限と同じか、または予め設定された日付の以前の場合、または徒過した場合、化粧品の交換アラームを出力するように制御することができる。
【０１８９】
制御部１８０は、ディスプレイ部１２０に交換アラームを表示したり、移動端末機１０に交換アラーム信号を送信することができる。
【０１９０】
化粧品供給装置１００は、既成化粧品の情報を認識することができる（Ｓ１１７）。
【０１９１】
既成化粧品は、化粧品会社などで製作されて販売される商用化粧品を示す。既成化粧品は、バーコードまたはＲＦＩＤタグを含むことができる。
【０１９２】
化粧品供給装置１００は、既成化粧品を認識するための第２通信部１７０を含むことができる。第２通信部１７０は、バーコード認識装置またはＲＦＩＤリーダであり得る。
【０１９３】
次に、図９を参照して、化粧品供給装置１００が既成化粧品の情報を認識する方法を説明する。図９は、本発明の実施形態に係る化粧品供給装置が既成化粧品の情報を認識する方法を説明するための図である。
【０１９４】
化粧品供給装置１００のディスプレイ部１２０は、既成化粧品を認識するための画面を表示することができる。図９に示されたように、ディスプレイ部１２０は、既成化粧品の認識メッセージ１０１０を表示することができ、既成化粧品の認識メッセージ１０１０は、既成化粧品の認識タイミングと、認識可能な位置を示すことができる。既成化粧品の認識可能位置は、第２通信部１７０と隣接して位置し得る。
【０１９５】
ユーザーは、既成化粧品１０２０を第２通信部１７０と隣接した位置に持っていくことができる。第２通信部１７０は、既成化粧品１０２０に内蔵されたバーコードまたはＲＦＩＤタグを認識することができ、認識した結果、既成化粧品１０２０の情報を受信することができる。
【０１９６】
このように、ユーザーは、保有している化粧品を第２通信部１７０に認識させ、保有化粧品を活用する方案を得ることができる。
【０１９７】
再び、図７を説明する。
【０１９８】
化粧品供給装置１００は、既成化粧品１０２０の情報を受信すると、ユーザー情報、環境情報、カートリッジの残量情報および既成化粧品の情報のうち少なくとも一つに基づいて化粧品供給方法を獲得することができる（Ｓ１１９）。
【０１９９】
化粧品供給装置１００が既成化粧品１０２０の情報を受信しない場合、ユーザー情報、環境情報、およびカートリッジの残量情報のうち少なくとも一つに基づいて化粧品供給方法を獲得することができる（Ｓ１２１）。
【０２００】
制御部１８０は、ユーザーの肌状態、顔画像、日程、アラーム、現在の温度、湿度、粒子状物質の濃度、紫外線指数、既成化粧品の情報のうち少なくとも一つに基づいて化粧品供給方法を獲得することができる。
【０２０１】
化粧品供給方法は、供給される化粧品の種類、供給される化粧品の量、化粧品供給順序および化粧品供給時間などを含むことができる。
【０２０２】
具体的には、制御部１８０は、移動端末機１０から日程情報を受信すると、日程情報に応じて互いに異なる化粧品供給方法を獲得することができる。例えば、制御部１８０が移動端末機１０から「４月１９日１０：００顧客ミーティング」の情報および、「４月２２日１２：３０ＸＸ結婚式」の情報および、「４月２８日１９：００友達の会」の情報を受信することができ、制御部１８０は、受信された情報に含まれた日付および受信された情報に含まれた日程内容にふさわしい化粧品供給方法を獲得することができる。
【０２０３】
例えば、制御部１８０は、「ミーティング」、「結婚式」、「会」などのような予め設定された特定の文字を認識することができる。一実施形態によると、制御部１８０は、特定の文字が認識されると、認識された特定の文字でマッピングされた化粧品供給方法を獲得することができる。別の実施形態によると、制御部１８０は、特定の文字が認識された日程に香水または特定の化粧品を推薦することができる。
【０２０４】
または、制御部１８０は、移動端末機１０からアラーム情報を受信すると、アラームの時間に合わせて化粧品が製造される化粧品供給方法を獲得することができる。具体的には、制御部１８０は、移動端末機１０から「午前Ｔ時の気象」の情報を受信すると、受信された時刻を基準に予め設定された時刻の後に化粧品が製造される化粧品供給方法を獲得することができる。例えば、制御部１８０は、移動端末機１０から「午前７時の気象」の情報を受信すると、受信された時刻である７時を基準に予め設定された時刻後の８時に化粧品が製造されるように制御する化粧品供給方法を獲得することができる。
【０２０５】
制御部１８０は、湿度および紫外線指数などの環境情報を受信すると、湿度および紫外線指数などに応じて、水分含有量と、化粧品の原料と、日焼け止め機能の化粧品の原料を調節して化粧品供給方法を獲得することができる。
【０２０６】
制御部１８０は、カートリッジの残量を考慮して化粧品供給方法を獲得することができる。具体的には、制御部１８０は、カートリッジの残量が予め設定された残量未満の化粧品は、使用量を予め設定された使用量以下に制限させることができる。
【０２０７】
制御部１８０は、既成化粧品の情報を受信すると、受信された既成化粧品とカートリッジ１５１に含まれた化粧品を複合的に使用できる化粧品供給方法を獲得することができる。
【０２０８】
または、制御部１８０は、既成化粧品の情報を受信された場合、既成化粧品のみを利用する化粧品供給方法を獲得することもできる。
【０２０９】
しかし、これは例示的なものに過ぎず、移動端末機１０またはサーバー１が化粧品供給方法を獲得することもできる。例えば、移動端末機１０が、ユーザー情報、環境情報、および化粧品提供情報のうち少なくとも一つを受信して化粧品供給方法を獲得することもできる。サーバー１が化粧品供給方法を獲得する方法は、図１５で後述する。
【０２１０】
ディスプレイ部１２０は、化粧品供給方法を表示することができる（Ｓ１２３）。
【０２１１】
図１０ａないし図１０ｄを参照して、本発明の実施形態に係る化粧品供給方法を表示する方法を説明する。
【０２１２】
図１０ａに示されたように、ディスプレイ部１２０は、ユーザー情報９０１、カートリッジ残量情報９０２、環境情報９０３、保有化粧品情報９０４および供給される化粧品情報９０５を表示し、修正アイコン９０６と供給アイコン９０７を表示することができる。
【０２１３】
ユーザー情報９０１は、移動端末機１から受信された情報であり、カートリッジ情報９０２は、カートリッジの残量をセンシングした結果情報であり、環境情報９０３は、サーバー１から受信された環境情報であり、保有化粧品情報９０４は、既成化粧品を認識した結果情報であり得る。
【０２１４】
供給される化粧品情報９０５は、ユーザー情報、環境情報、カートリッジの残量情報および既成化粧品の情報のうち少なくとも一つに基づいて獲得された化粧品供給方法を含むことができる。具体的には、供給される化粧品情報９０５は、化粧品の種類、化粧品の提供量、化粧品の提供順序を含むことができる。
【０２１５】
供給される化粧品情報９０５は、チェックボックス９０５ａを含むことができる。チェックボックス９０５ａは、修正される化粧品を選択するか、または供給される化粧品を選択するためのチェックボックスであり得る。
【０２１６】
修正アイコン９０６は、供給される化粧品情報９０５に表示された化粧品を修正するためのアイコンである。制御部１８０は、修正アイコン９０６が選択されると、チェックボックス９０５ａに選択された化粧品を修正するための画面を表示することができる。
【０２１７】
供給アイコン９０７は、供給される化粧品情報９０５に表示された供給方法に応じて化粧品を供給するためのアイコンである。制御部１８０は、供給アイコン９０７を選択する命令を受信すると、チェックボックス９０５ａに表示された化粧品を供給することができる。
【０２１８】
図１０ａは、カートリッジ１５１に含まれた化粧品のみを利用する化粧品供給方法を示す例示画面である。
【０２１９】
したがって、図１０ａに示された供給される化粧品情報９０５は、カートリッジ１５１を介して提供される化粧品情報を示す。
【０２２０】
一方、化粧品供給装置１００は、カートリッジ１５１に含まれた化粧品と保有化粧品をすべて利用する化粧品供給方法を獲得することもできる。
【０２２１】
図１０ｂは、カートリッジ１５１に含まれた化粧品と保有化粧品をすべて利用する化粧品供給方法を示す例示画面である。
【０２２２】
この場合にも、図１０ａに説明したことと同様にディスプレイ部１２０は、ユーザー情報９０１、カートリッジ残量情報９０２、環境情報９０３、保有化粧品情報９０４および供給される化粧品情報９０５を表示し、修正アイコン９０６と供給アイコン９０７を表示することができる。図１０ａで説明したことと同一の内容は省略する。
【０２２３】
制御部１８０は、保有化粧品とカートリッジ１５１を介して供給される化粧品をすべて使用する化粧品供給方法で獲得することもできる。この場合、図１０ｂに示された例示のように、制御部１８０は、既成化粧品１０２０の認識を介して特定の化粧品を認識し、認識された特定の化粧品の使用順序を含んだ化粧品供給方法を獲得して、供給される化粧品情報９０５を表示することができる。供給される化粧品情報９０５は、カートリッジ１５１を介して提供される化粧品と保有化粧品情報をすべて含む、
【０２２４】
一実施形態によると、図１０ｂに示されたように、カートリッジ１５１は、基礎化粧品と色調化粧品をすべて含むことができる。
【０２２５】
別の実施形態によると、カートリッジ１５１は、基礎化粧品のみを含むこともできる。例えば、色調化粧品は、カートリッジ１５１を介して提供されることは困難であり得る。この場合、図１０ｃに示された例示のように、制御部１８０は、カートリッジ１５１を介して供給可能な化粧品情報９０５ｂと保持化粧品を使用する情報９０５ｄを共に表示することができる。
【０２２６】
また、別の実施形態によると、制御部１８０は、保有化粧品のみを利用する化粧品供給方法を獲得することもできる。例えば、制御部１８０は、保有化粧品の認識結果、保有化粧品のみで構成される化粧品供給方法を獲得することができる。この場合、図１０ｄに示された例示のように、ディスプレイ部１２０は、保有化粧品のみで構成される供給される化粧品情報９０５を表示することができる。供給される化粧品情報９０５は、保有化粧品の利用順序に合わせて保有化粧品の種類を表示できるが、これは例示的なものに過ぎないので、これに限定されない。
【０２２７】
再び、図７を説明する。
【０２２８】
制御部１８０は、供給される化粧品の修正命令を受信することができる（Ｓ１２５）。
【０２２９】
制御部１８０は、図１０ａないし図１０ｄに示された修正アイコン９０６を選択する命令を受信することができる。
【０２３０】
制御部１８０は、供給される化粧品の修正命令を受信すると、化粧品供給方法を修正することができる（Ｓ１２７）。
【０２３１】
化粧品供給方法の修正ステップにおいて、制御部１８０は、化粧品の提供量、化粧品の用途、化粧品の種類などを設定する化粧品提供情報の入力命令を受信することができる。化粧品提供情報の入力命令は、図１５で後述することにする。
【０２３２】
制御部１８０は、修正された化粧品供給方法に応じて化粧品を供給することができる（Ｓ１２９）。または、制御部１８０は、Ｓ１２５のステップで化粧品供給命令を受信すると、化粧品供給方法に応じて化粧品を供給することができる。
【０２３３】
制御部１８０は、図１０ａないし図１０ｄに示された供給アイコン９０７を選択する命令を受信することができる。
【０２３４】
図１１は、本発明の実施形態に係る化粧品供給装置が化粧品供給方法に応じて製造された化粧品を供給する様子を説明するための図である。
【０２３５】
化粧品供給部１５０は、化粧品供給方法に基づいて、少なくとも一つのカートリッジ１５１のそれぞれに含まれた化粧品がノズル部１５２を通過して吐出部１５４を介して外部に化粧品１１００が吐出されるように制御することができる。化粧品供給部１５０がミキサー部１５３を含む場合、少なくとも一つのカートリッジ１５１のそれぞれに含まれた化粧品がノズル部１５２を介してミキサー部１５３に移動され、ミキサー部１５２で混合されて吐出部１５４を介して外部に化粧品１１００が吐出されるように制御することができる。
【０２３６】
化粧品供給装置１００のディスプレイ部１２０は、化粧品１１００の吐出時に、吐出タイミングを表示することができる。これにより、ユーザーは、吐出タイミングに合わせて化粧品１１００を提供されて使用することができる。
【０２３７】
または、化粧品容器（図示せず）が吐出部１５４の下部に配置され得る。吐出部１５４から吐出された化粧品１１００が化粧品容器（図示せず）に収容され得る。ユーザーは、化粧品容器（図示せず）に収容された化粧品をすぐに使用したり、外出時に携帯することができる。
【０２３８】
化粧品供給装置１００は、化粧品を供給しながら供給される化粧品に対する情報を表示することができる。
【０２３９】
ここで、化粧品の情報は、供給される化粧品の成分割合、化粧品の使用方法および化粧品の効能などを含むことができる。
【０２４０】
化粧品供給装置１００は、化粧品供給方法に基づいて少なくとも一つの化粧品を供給し、化粧品が複数の場合、順に吐出させることができる。
【０２４１】
再び、図７を説明する。
【０２４２】
化粧品供給装置１００のディスプレイ部１２０は、提供する化粧品に対応する化粧品情報を表示することができる（Ｓ１３１）。
【０２４３】
化粧品供給装置１００のディスプレイ部１２０は、化粧品それぞれの成分情報、化粧品の使用情報および化粧品の効能情報などを表示することができる。
【０２４４】
次に、図１２は、本発明の実施形態に係る化粧品供給が化粧品の情報を表示する方法を説明するための例示図である。化粧品供給装置１００は、化粧品供給方法に基づいて第１化粧品、第２化粧品および第３化粧品を順に吐出させることができる。第１ないし第３化粧品は、完成品、半製品または化粧品原料であり得る。第１化粧品は、トナーカートリッジで提供される化粧品、第２化粧品は、ローションカートリッジで提供される化粧品、第３化粧品は、エッセンスカートリッジで提供される化粧品であり得るが、これは例示的なものに過ぎない。
【０２４５】
化粧品供給装置１００のディスプレイ部１２０は、化粧品情報１２１０を表示することができる。
【０２４６】
一実施形態によると、図１２に示されたように、化粧品情報１２１０は、製造される第１化粧品の成分情報と、第２化粧品の成分情報と、第３化粧品の成分情報のそれぞれを含むことができる。
【０２４７】
化粧品供給装置１００のディスプレイ部１２０は、化粧品情報１２１０と共に推薦化粧方法１２２０を表示することができる。推薦化粧方法１２２０は、供給される化粧品を使用する方法であって、化粧品の使用位置、化粧品の使用順序および化粧品の使用量などを含むことができる。図１２の例示において、ディスプレイ部１２０は、第１化粧品、第２化粧品および第３化粧品の使用位置および使用順序を表示する。
【０２４８】
これによると、化粧品供給装置１００は、化粧品を提供すると共に、化粧品利用方法を案内できるという効果がある。
【０２４９】
再び、図７を説明する。
【０２５０】
化粧品供給装置１００が既成化粧品を利用する化粧品供給方法を獲得した場合、既成化粧品に対応する情報を表示することができる（Ｓ１３３）。
【０２５１】
図１３ａないし図１３ｃを参照して、本発明の実施形態に係る既成化粧品に対応する情報を表示する方法を説明する。
【０２５２】
先に、図１３ａは、本発明の第１実施形態に係る既成化粧品の情報表示方法を説明するための図である。図１３ａに示されたように、ディスプレイ部１２０は、化粧品情報１３１０と推奨化粧方法１３２０をすべて表示することができる。化粧品情報１３１０は、カートリッジ１５１を介して供給される第１化粧品の成分情報と第３化粧品の成分情報および保有化粧品である第２化粧品の情報を含むことができる。ここで、保有化粧品は、既成化粧品の情報認識ステップ（Ｓ２１）で認識された化粧品を示すことができる。
【０２５３】
推薦化粧方法１３２０は、供給される化粧品と保有化粧品を共に活用する方法であって、化粧品の使用位置、化粧品の使用順序および化粧品の使用量などを含むことができる。図１３ａの例示において、ディスプレイ部１２０は、供給される第１化粧品の使用位置と、保有化粧品である第２化粧品の使用位置および第３化粧品の使用位置と使用順序を表示する。
【０２５４】
これによると、ユーザーに必要な化粧品を製造して提供すると共に、ユーザーが保有している化粧品の活用方案を提示するという利点がある。
【０２５５】
図１３ｂは、本発明の第２実施形態に係る既成化粧品の情報表示方法を説明するための図である。
【０２５６】
制御部１８０は、既成化粧品のみを使用する化粧品供給方法を獲得することができる。
【０２５７】
図１３ｂに示されたように、ディスプレイ部１２０は、保有化粧品情報１３３０と推奨化粧方法１３４０をすべて表示することができる。化粧品情報１３３０は、少なくとも一つの保有化粧品の名称を含むことができる。また、図１３ｂに示されてなかったが、化粧品情報１３３０は、保有化粧品の名称と共に該当化粧品の推奨使用量を含むことができる。
【０２５８】
推薦化粧方法１３４０は、保有化粧品１３３０に表示された各保有化粧品の使用位置、使用方法などを含むことができる。
【０２５９】
図１３ｃは、本発明の第３実施形態に係る既成化粧品の情報表示方法を説明するための図である。
【０２６０】
制御部１８０は、既成化粧品のみを使用する化粧品供給方法を獲得することができる。この場合、図１３ｃに示されたように、ディスプレイ部１２０は、保有化粧品情報１３５０と推奨化粧品情報１３６０を共に表示することができる。
【０２６１】
制御部１８０は、推奨化粧品情報１３６０に含まれた化粧品を選択する命令を受信すると、選択された化粧品を購買できる方法を表示することができる。一例として、ディスプレイ部１２０は、選択された化粧品を購買できるウェブサイトを表示することができる。
【０２６２】
これによると、化粧品供給装置１００は、保有化粧品を使用すると共に、保有化粧品と共に活用可能な推薦化粧品の情報をユーザーに提供できるという利点がある。一方、カートリッジ１５１を介した色調化粧品の提供が困難である場合、図１３ａないし図１３ｃに示されたように、既成化粧品の情報を表示して、化粧品の提供から化粧方法の表示までの化粧品使用と関連した全過程のすべてを助けることができるという効果がある。
【０２６３】
次に、図１４は、本発明の実施形態に係る移動端末機がカートリッジの残量情報を出力する方法を説明するための例示図である。
【０２６４】
図１４に示されたように、移動端末機１０のディスプレイ部１４は、第１カートリッジの残量情報１４０１と、第２カートリッジの残量情報１４０２と、第３カートリッジの残量情報１４０３と、第４カートリッジの残量情報１４０４と、第５カートリッジの残量１４０５と、第６カートリッジの残量情報１４０６とを表示することができる。
【０２６５】
第１ないし第６カートリッジの残量情報１４０１ないし１４０６のそれぞれは、カートリッジ１５１の容量に対し各カートリッジ内に含まれた化粧品の割合を含むことができる。
【０２６６】
また、移動端末機１０のディスプレイ部１４は、カートリッジの交換通知を表示することができ、カートリッジの交換通知は、カートリッジの残量が予め設定された基準残量未満のカートリッジに対応して表示され得る。
【０２６７】
カートリッジの交換通知の基準残量は、入力部１１０を介してユーザー入力命令を受信して設定されたり、化粧品供給装置１００の出庫時に、デフォルトに設定され得る。
【０２６８】
図１４に示された例示の場合、カートリッジの交換通知の基準残量は２０％であり得、ディスプレイ部１４は、基準残量未満の第５カートリッジ１４０５に対応する交換通知を表示することができる。
【０２６９】
カートリッジの交換通知の出力方法は、図１４に示されたように、他のカートリッジの残量情報と異なるように表示する方法であり得る。または、移動端末機１７の制御部１７は、サウンドまたは振動を通じて基準残量未満のカートリッジの交換通知を出力することができる。
【０２７０】
このように、化粧品供給装置１００は、カートリッジ１５１の残量をセンシングし、移動端末機１０にカートリッジの残量情報を送信することによって、化粧品がすべて消尽される前にユーザーがカートリッジ１５１を交換するように案内するという利点がある。
【０２７１】
また、移動端末機１０は、カートリッジの交換通知を出力する場合、カートリッジの交換通知に対応するカートリッジを購買できるサイトに接続するアイコンを表示することができる。ユーザーは、カートリッジの購買アイコン（図示せず）を介して残量が不足したカートリッジを容易に購買できるという利点がある。
【０２７２】
図７ないし図１４は、化粧品供給方法を獲得する化粧品供給装置１００で獲得する実施形態を説明した。
【０２７３】
次に、図１５ないし図１６は、化粧品供給方法をサーバー１で獲得する実施形態を説明する。ただし、図７ないし図１４を通じて説明したようことと同一または類似の内容は省略することにする。
【０２７４】
図１５に示されたダイヤグラムを参照すると、移動端末機１０は、ユーザー情報の入力命令を受信することができる（Ｓ１１）。
【０２７５】
サーバー１は、環境情報を受信することができる（Ｓ１３）。
【０２７６】
化粧品製造装置１００は、化粧品提供情報の入力命令を受信することができる（Ｓ１５）。
【０２７７】
化粧品提供情報は、ユーザーが任意に供給される化粧品を設定するために入力した情報を意味するものであって、供給される化粧品の量、化粧品の用途（または目的）、供給化粧品に含まれる化粧品原料などを含むことができる。
【０２７８】
化粧品供給装置１００は、入力部１１０を介して化粧品提供情報の入力命令を受信することができ、ディスプレイ部１２０は、受信された化粧品提供情報を表示することができる。
【０２７９】
一方、化粧品供給装置１００は、図７のＳ１２７のような化粧品供給方法の修正ステップで、化粧品提供情報の入力命令を受信して化粧品供給方法を修正することもできる。
【０２８０】
次に、図１６を参照して、化粧品供給装置１００が化粧品提供情報の入力命令を受信する方法を説明する。
【０２８１】
化粧品供給装置１００のディスプレイ部１２０は、図１６に示されたような化粧品提供情報の入力命令を受信するための画面を表示することができる。即ち、ディスプレイ部１２０は、提供量入力項目９１０、用途入力項目９２０および化粧品原料選択項目９３０を含むことができ、用途入力項目９２０は、基礎化粧品の用途入力項目９２０ａと、色調用化粧品の用途入力項目９２０ｂに区分され得る。
【０２８２】
提供量入力項目９１０は、提供される化粧品の量を設定する項目であって、図１６に示されたように「１回」、「一日」および「一週間」のような下位項目を含むことができる。「１回」の項目は、１回使用する量の化粧品を提供する項目であり、「一日」の項目は、２ないし３回使用する量の化粧品を提供する項目であり、「一週間」の項目は、１５ないし２０回使用する量の化粧品を提供する項目であり得る。しかし、これは例示的なものに過ぎず、提供量入力項目９１０は、「１０ｍｌ」、「５０ｍｌ」および「１００ｍｌ」などのように容量を数値化した下位項目を含むこともできる。
【０２８３】
用途入力項目９２０は、提供される化粧品が使用される用途または目的を設定する項目であって、「朝用」、「外出用」および「夕方用」などのような下位項目を含む基礎用化粧品の用途入力項目９２０ａと、「オフィス用」、「デート用」および「パーティー用」などのような下位項目を含む色調用化粧品の用途入力項目９２０ｂを含むことができる。
【０２８４】
化粧品供給部１５０は、「朝用」の項目が選択されると、美白機能がある化粧品を多く提供し、「外出用」の項目が選択されると、日焼け止め機能がある化粧品を多く供給し、「夕方用」の項目が選択されると、水分含有量が多い化粧品で多く供給することができるが、これは例示的なものに過ぎない。また、化粧品供給部１５０は、「オフィス用」の項目が選択されると、レッド系の色調化粧品を供給し、「デート用」の項目が選択されると、ピンク系の色調化粧品を供給し、「パーティー用」の項目が選択されると、ブラック系の色調化粧品を供給することができるが、これは例示的なものに過ぎない。
【０２８５】
即ち、化粧品供給部１５０は、図１６に示されたように基礎用化粧品と、色調用化粧品を区別し、それぞれの選択された下位項目に応じて化粧品を供給することができ、または基礎用化粧品と色調用化粧品を区別せずに選択された下位項目に応じて化粧品を供給することができる。
【０２８６】
化粧品供給部１５０は、化粧品原料の選択項目９３０を介して選択された化粧品原料が含まれるように化粧品を製造することができる。化粧品原料の選択項目９３０は、それぞれのカートリッジ１５１に含まれた化粧品の原料が列挙され、少なくとも一つの化粧品の原料が選択され得る。または、化粧品原料の選択項目９３０は、化粧品原料のみでなく、完成品または半製品の化粧品種類を列挙し、制御部１８０は、化粧品種類を選択する命令を受信することもできる。
【０２８７】
一実施形態によると、ディスプレイ部１２１は、タッチスクリーンとして実現されて化粧品提供情報の入力命令を受信することができる。
【０２８８】
別の実施形態によると、ディスプレイ部１２１は、入力部１１０によって操作されるポインター（図示せず）を介して化粧品提供情報の入力命令を受信することができる。
【０２８９】
さらに別の実施形態によると、入力部１１０によって受信される音声命令を通じて化粧品提供情報の入力命令を受信することができる。
【０２９０】
しかし、これは例示的なものに過ぎず、移動端末機１０が化粧品提供情報の入力命令を受信して化粧品供給装置１００に伝送し、化粧品供給装置１００は、移動端末機１０から化粧品提供情報を受信することもできる。
【０２９１】
このように、図１５においては、移動端末機１０がユーザー情報の入力命令を受信し、サーバー１が環境情報を受信し、化粧品供給装置１００が化粧品提供情報の入力命令を受信することと説明したが、これは例示的なものに過ぎず、各情報を受信する装置の種類には限定されない。即ち、化粧品提供システムを構成する移動端末機１０、サーバー１および化粧品供給装置１００のそれぞれは、ユーザー情報の入力命令、環境情報および化粧品提供情報のうち少なくとも一つをすべて受信することができる。
【０２９２】
また、化粧品提供システムを構成する各装置がユーザー情報の入力命令、環境情報および化粧品提供情報の入力命令を受信する順序は、決まっておらず、通信状態、ユーザー情報を入力する順序などに応じて変わることがある。
【０２９３】
また、化粧品提供システムは、ユーザー情報、環境情報、および化粧品提供情報をすべて受信しておらず、少なくとも一つを受信することもできる。
【０２９４】
移動端末機１０は、受信されたユーザー情報をサーバー１に伝送することができる（Ｓ１７）。
【０２９５】
化粧品供給装置１００は、受信された化粧品提供情報をサーバー１に伝送することができる（Ｓ１９）。
【０２９６】
サーバー１は、ユーザー情報、環境情報、および化粧品提供情報のうち少なくとも一つを受信することができる。
【０２９７】
一方、化粧品供給装置１００は、既成化粧品の情報を認識することができる（Ｓ２１）。
【０２９８】
化粧品供給装置１００は、既成化粧品１０２０の情報を認識すると、認識された既成化粧品の情報をサーバー１に伝送することができる（Ｓ２３）。
【０２９９】
サーバー１は、受信されたユーザー情報、環境情報、化粧品提供情報および既成化粧品の情報のうち少なくとも一つに基づいて化粧品製造方法を獲得することができる（Ｓ２５）。
【０３００】
サーバー１は、獲得された化粧品製造方法を化粧品供給装置１００に伝送することができる（Ｓ２７）。
【０３０１】
また、化粧品供給装置１００が既成化粧品の情報を認識できない場合（Ｓ２１）、サーバー１は、受信されたユーザー情報、環境情報、および化粧品提供情報のうち少なくとも一つに基づいて化粧品製造方法を獲得し（Ｓ２７）、獲得された化粧品製造方法を化粧品供給装置１００に伝送することができる（Ｓ３１）。
【０３０２】
化粧品供給装置１００の化粧品供給部１５０は、受信された化粧品供給方法に基づいて化粧品を提供することができる（Ｓ３３）。
【０３０３】
化粧品供給装置１００は、提供された化粧品に対応する化粧品情報を表示することができる（Ｓ３５）。
【０３０４】
化粧品供給装置１００のセンシング部１４０は、カートリッジ１５１の残量をセンシングすることができる（Ｓ３７）。
【０３０５】
化粧品供給装置１００の第１双方向通信部１６０は、センシングされたカートリッジの残量情報を移動端末機１０に伝送することができる（Ｓ３９）。
【０３０６】
移動端末機１０の無線通信部１１は、化粧品供給装置１００からカートリッジの残量情報を受信し、ディスプレイ部１４は、受信されたカートリッジの残量情報に基づいてアラームを出力することができる（Ｓ４１）。
【０３０７】
このように、カートリッジの残量をセンシングし、カートリッジの残量情報を伝送するステップは、図１５に示されたように化粧品を供給した後に行うこともでき、図７に示されたように化粧品を供給する前に行うこともできる。
【０３０８】
または、制御部１８０は、周期的にカートリッジの残量をセンシングして、移動端末機１０に伝送するように制御することもできる。
【０３０９】
前述した本発明は、プログラムが記録された媒体にコンピューターが判読可能なコードとして実現することが可能である。コンピューターの判読可能な媒体は、コンピューターシステムによって判読され得るデータが保存されるすべての種類の記録装置を含む。コンピューターが判読可能な媒体の例としては、ＨＤＤ（Ｈａｒｄ  Ｄｉｓｋ  Ｄｒｉｖｅ）、ＳＳＤ（Ｓｏｌｉｄ  Ｓｔａｔｅ  Ｄｉｓｋ）、ＳＤＤ（Ｓｉｌｉｃｏｎ  Ｄｉｓｋ  Ｄｒｉｖｅ）、ＲＯＭ、ＲＡＭ、ＣＤ−ＲＯＭ、磁気テープ、フロッピー（登録商標）ディスク、光データ保存装置などがある。また、前記コンピューターは、診断装置の制御部、肌管理サーバーの制御部または製造装置の制御部を含むこともできる。したがって、前記の詳細な説明はすべての面で制限的に解釈されてはならず、例示的であるものとして考慮されなければならない。
【０３１０】
本発明の範囲は、添付された特許請求の範囲の合理的解釈によって決定されなければならず、本発明の等価的範囲内でのすべての変更は本発明の範囲に含まれる。
【符号の説明】
【０３１１】
１  サーバー
１０  移動端末機
１１  無線通信部
１２  入力部
１３  カメラ
１４  ディスプレイ部
１５  メモリ
１６  電源供給部
１７  制御部
１００  化粧品供給装置
１１０  入力部
１２０  ディスプレイ部
１３０  保存部
１４０  センシング部
１４５  カメラ
１４７  位置検出部
１５０  化粧品供給部
１５１  カートリッジ
１５２  ノズル部
１５３  ミキサー部
１５４  吐出部
１５５  冷蔵部
１６０  第１双方向通信部
１７０  第２通信部
１８０  制御部
【図１】
2020520754.tif 000003
【図２】
2020520754.tif 000004
【図３】
2020520754.tif 000005
【図４】
2020520754.tif 000006
【図５】
2020520754.tif 000007
【図６】
2020520754.tif 000008
【図７】
2020520754.tif 000009
【図８】
2020520754.tif 000010
【図９】
2020520754.tif 000011
【図１０ａ】
2020520754.tif 000012
【図１０ｂ】
2020520754.tif 000013
【図１０ｃ】
2020520754.tif 000014
【図１０ｄ】
2020520754.tif 000015
【図１１】
2020520754.tif 000016
【図１２】
2020520754.tif 000017
【図１３ａ】
2020520754.tif 000018
【図１３ｂ】
2020520754.tif 000019
【図１３ｃ】
2020520754.tif 000020
【図１４】
2020520754.tif 000021
【図１５】
2020520754.tif 000022
【図１６】
2020520754.tif 000023
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
化粧品供給装置において、
移動端末機からユーザー情報および環境情報のうち少なくとも一つを受信する第１双方向通信部と、
前記受信されたユーザー情報および環境情報のうち少なくとも一つに基づいて化粧品供給方法を獲得する制御部と、
化粧品を含む複数のカートリッジ、前記獲得された化粧品供給方法によって、前記カートリッジに含まれた化粧品を移動させるノズル部、および前記ノズル部を通過した化粧品を外部に吐出させる吐出部を有する化粧品供給部と
を含む化粧品供給装置。
【請求項２】
前記化粧品供給部は、前記複数のカートリッジに含まれた化粧品のそれぞれを化粧順に応じて吐出させる、請求項１に記載の化粧品供給装置。
【請求項３】
既成化粧品の情報を認識可能なバーコード認識機またはＲＦＩＤリーダとして実現された第２通信部をさらに含み、
前記制御部は、前記受信されたユーザー情報、環境情報、および既成化粧品の情報のうち少なくとも一つに基づいて化粧品供給方法を獲得する、請求項１または２に記載の化粧品供給装置。
【請求項４】
前記化粧品供給部を介して供給された化粧品の情報を表示するディスプレイ部をさらに含む、請求項１ないし３のいずれか一項に記載の化粧品供給装置。
【請求項５】
前記ディスプレイ部は、ミラーディスプレイとして実現される、請求項４に記載の化粧品供給装置。
【請求項６】
前記供給された化粧品の情報は、化粧品の種類、化粧品原料の情報、および供給された化粧品の使用方法を含む、請求項４に記載の化粧品供給装置。
【請求項７】
前記化粧品供給方法は、供給される化粧品の種類、供給される化粧品の量、および化粧品供給順序を含む、請求項１ないし６のいずれか一項に記載の化粧品供給装置。
【請求項８】
前記少なくとも一つのカートリッジの残量をセンシングするセンシング部をさらに含み、
前記第１双方向通信部は、前記センシングしたカートリッジの残量の情報を前記移動端末機に伝送する、請求項１ないし７のいずれか一項に記載の化粧品供給装置。
【請求項９】
前記化粧品供給装置は、据置用または携帯用として実現される、請求項１ないし８のいずれか一項に記載の化粧品供給装置。
【請求項１０】
前記ユーザー情報は、前記移動端末機に入力された日程（Ｓｃｈｅｄｕｌｅ）情報を含み、
前記環境情報は、前記移動端末機に受信された気象情報を含む、請求項１ないし９のいずれか一項に記載の化粧品供給装置。
【請求項１１】
化粧品を含む複数のカートリッジを有する化粧品供給装置の動作方法において、
移動端末機からユーザー情報を受信するステップと、
環境情報を受信するステップと、
前記受信されたユーザー情報および環境情報のうち少なくとも一つに基づいて化粧品供給方法を獲得するステップと、
前記獲得された化粧品供給方法に応じて化粧品を吐出するステップと
を含む化粧品供給装置の動作方法。
【請求項１２】
前記化粧品を吐出するステップは、
前記複数のカートリッジに含まれた化粧品のそれぞれを化粧順に応じて吐出するステップを含む、請求項１１に記載の化粧品供給装置の動作方法。
【請求項１３】
バーコードまたはＲＦＩＤタグを有する既成化粧品の情報を認識するステップをさらに含み、
前記化粧品供給方法を獲得するステップは、
前記ユーザー情報、前記環境情報、および前記既成化粧品の情報のうち少なくとも一つに基づいて化粧品供給方法を獲得するステップを含む、請求項１１または１２に記載の化粧品供給装置の動作方法。
【請求項１４】
前記化粧品供給装置に装着されたカートリッジの残量を感知するステップと、
前記感知されたカートリッジの残量の情報を移動端末機に伝送するステップと
をさらに含む、請求項１１ないし１３のいずれか一項に記載の化粧品供給装置の動作方法。
【請求項１５】
前記供給された化粧品の情報を表示するステップをさらに含み、
前記供給された化粧品の情報は、化粧品の種類、化粧品原料の情報、および供給された化粧品の使用方法を含む、請求項１１ないし１４のいずれか一項に記載の化粧品供給装置の動作方法。
【請求項１６】
化粧品供給システムにおいて、
化粧品を含む複数のカートリッジを有する化粧品供給装置と、
ユーザー情報の入力命令を受信し、前記ユーザー情報をサーバーに伝送する移動端末機と、
環境情報を受信し、前記受信されたユーザー情報および環境情報のうち少なくとも一つに基づいて化粧品供給方法を獲得して前記化粧品供給装置に伝送するサーバーと
を含み、
前記化粧品供給装置は、前記サーバーから化粧品供給方法を受信し、前記受信された化粧品供給方法に基づいて化粧品を供給する、化粧品供給システム。
【請求項１７】
前記化粧品供給装置は、前記複数のカートリッジに含まれた化粧品のそれぞれを化粧順に応じて吐出する、請求項１６に記載の化粧品供給システム。
【請求項１８】
前記ユーザー情報は、ユーザーの肌状態、顔画像、前記移動端末機に入力された日程情報、および前記移動端末機に入力されたアラームの設定情報のうち少なくとも一つを含み、
前記環境情報は、現在の温度、湿度、粒子状物質の濃度、および紫外線指数のうち少なくとも一つを含む、請求項１６または１７に記載の化粧品供給システム。
【請求項１９】
前記サーバーは、
既成化粧品の情報をさらに受信し、
前記ユーザー情報、環境情報、および既成化粧品の情報のうち少なくとも一つに基づいて化粧品供給方法を獲得する、請求項１６ないし１８のいずれか一項に記載の化粧品供給システム。
【請求項２０】
前記化粧品供給装置は、
前記受信された化粧品供給方法によって前記カートリッジに含まれた化粧品を移動させるノズル部と、
前記ノズル部を通過した化粧品を外部に吐出させる吐出部と
を含む、請求項１６ないし１９のいずれか一項に記載の化粧品供給システム。
【国際調査報告】
2020520754.tif 000024
2020520754.tif 000025